【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
中央ネットワークサイトを介して、消費者と、前記消費者の個人化された栄養情報を提供する栄養学薬理学者とをリンクする対話型のコンピュータ化された方法であって、
a)前記栄養学薬理学者および前記消費者がそれを介して互いに通信する、記憶媒体を含む中央統合サイトを、提供するステップと、
b)前記記憶媒体に、少なくとも1つの生化学的マーカーの生化学的マーカーデータ情報を維持する第1データベースを保管するステップと、
c) 栄養学的データが、前記少なくとも1つの生化学的マーカーとの少なくとも1つの栄養素の関連および影響に関するレコードを含み、前記記憶媒体に、前記少なくとも1つの栄養素の栄養学的データを維持する第2データベースを保管するステップと、
d)前記中央統合サイトから少なくとも1つの生化学的マーカーレベルを含む消費者の臨床検査結果を受け取るステップと、
e)前記消費者の臨床検査結果で示された前記少なくとも1つの生化学的マーカーレベルを前記第1データベースの前記生化学的マーカーデータ情報と比較することによって、消費者の生化学的マーカーレベルセットを生成するステップと、
f)前記消費者の生化学的マーカーレベルセットを前記第2データベースに保管された前記栄養学的データと比較するステップと、
g)前記消費者の個人化された栄養情報を示す状況レポートを生成するステップと、
h)ステップ(g)で得られた前記状況レポートを前記消費者に通信するステップと
を含む方法。
【請求項２】
前記消費者が、健康な個人、症状のある患者、または無症状の患者である、請求項1に記載の対話型のコンピュータ化された方法。
【請求項３】
前記栄養情報が、前記消費者の臨床検査結果で示された生化学的マーカーとの少なくとも1つの栄養素または薬の相互作用に関する情報を含む、請求項1に記載の対話型のコンピュータ化された方法。
【請求項４】
前記第1データベースの前記生化学的マーカーデータが、前記消費者の臨床検査結果で示された生化学的マーカーの低い値、高い値、および目標値を示す、請求項1に記載の対話型のコンピュータ化された方法。
【請求項５】
前記目標値が、最頻値、平均値、および加重平均値を含む、請求項5に記載の対話型のコンピュータ化された方法。
【請求項６】
前記記憶媒体が、薬と生化学的マーカーとの間の相互作用を判定する薬レコードを維持する第3データベースを含む、請求項1に記載の対話型のコンピュータ化された方法。
【請求項７】
前記少なくとも1つの栄養素が、ハーブ、ビタミン、ミネラル、小分子、脂質、タンパク質、炭水化物、電解質、酵素、または補酵素、あるいはこれらの組合せを含む動物性食品または植物性食品を含む、請求項1に記載の対話型のコンピュータ化された方法。
【請求項８】
前記消費者の生化学的マーカーレベルセットを生成する前記ステップが、前記消費者の臨床検査結果に存在する各生化学的マーカーについての値を示す消費者のパーセント状況セットを生成することを含む、請求項1に記載の対話型のコンピュータ化された方法。
【請求項９】
前記栄養情報が、疾患または障害の診断、治療、および/または予防のために提供される、請求項1に記載の対話型のコンピュータ化された方法。
【請求項１０】
前記診断が、心リスク、CNS機能障害、胃腸障害、脂質代謝の不全、ホルモンの失調、腎機能障害、肝機能異常、毒性、腫瘍、血液病、免疫機能、窒素保持、または細胞変形（cellular distortion）の表示を含む、請求項9に記載の対話型のコンピュータ化された方法。
【請求項１１】
前記中央ネットワークサイトが、インターネットを使用する、請求項1に記載の対話型のコンピュータ化された方法。
【請求項１２】
前記中央ネットワークサイトが、イントラネットを使用する、請求項1に記載の対話型のコンピュータ化された方法。
【請求項１３】
前記消費者の臨床検査結果が、対話型電話システム、自動音声認識システム、ファクシミリを介して提供される1つまたは複数の質問表フォーム、コンピュータシステムに手作業で入力されるかスキャンされる1つまたは複数の質問表フォーム、コンピュータキーボード、電話機キーボード、ポインティングデバイス、またはこれらの組合せを含むシステムを介して前記中央統合サイトに入力される、請求項1に記載の対話型のコンピュータ化された方法。
【請求項１４】
ステップ(h)が、プリンタ、電子メール、ファクシミリデバイス、ビジュアルディスプレイ、音声再生システム、電話機、またはこれらの組合せを介する通信を含む、請求項1に記載の対話型のコンピュータ化された方法。
【請求項１５】
前記消費者の臨床検査結果が、血液検査、脂肪酸検査、またはその両方を介して入手される、請求項1に記載の対話型のコンピュータ化された方法。
【請求項１６】
前記血液検査が、電解質パネル、血小板凝集能検査、抗ストレプトリシンO試験、酵素試験、沈降速度測定、動脈血ガス測定、グルコース検査、血清ミオグロビン検査、完全血球算定、グリコヘモグロビン検査、サイロイドテスト、コレステロール検査、血清全蛋白量測定、凝集試験、血漿アンモニア検査、老廃物検査、C反応性タンパク質検査、またはこれらの組合せからなるグループから選択される分析評価を含む、請求項15に記載の対話型のコンピュータ化された方法。
【請求項１７】
前記栄養情報が、特定の栄養素または薬を得ることまたは回避することを含む、請求項1に記載の対話型のコンピュータ化された方法。
【請求項１８】
消費者の臨床検査結果を基礎として消費者に個人化された消費者栄養情報を供給する対話型コンピュータネットワークであって、前記ネットワークが、a)消費者からの標本内の1つまたは複数の生化学的マーカーの濃度または存在を示す前記消費者の臨床検査結果を受け取る中央統合サイトと、b)記憶媒体内に少なくとも1つの生化学的マーカーの生化学的マーカーデータ情報を維持する第1データベースおよび少なくとも1つの栄養素の栄養学的データを維持する第2データベースを含む、前記中央統合サイトに結合された前記記憶媒体とを含み、前記ネットワークが、前記消費者に個人化された前記栄養情報を示す状況レポートを生成し、前記状況レポートを前記消費者に通信する、対話型コンピュータネットワーク。
【請求項１９】
中央統合サイトを介して、消費者と栄養学薬理学者とをリンクする対話型コンピュータネットワークを確立し、運用する方法であって、
a) 前記中央統合サイトは、生化学的マーカーと生化学的マーカーに対する栄養素の関連および影響とに関する医学研究データを保管する複数のデータベースを含む記憶媒体を含み、栄養情報を交換するために前記消費者および前記栄養学薬理学者が電子的に接続する前記中央統合サイトを提供するステップと、
b)前記消費者と前記栄養学薬理学者との間で前記中央統合サイトを介して商売上の関係を確立するステップと、
c)前記中央統合サイトのユーザインターフェースを介して入手可能な複数のサービスおよび製品に前記消費者をリンクするステップと、
d)少なくとも1つの生化学的マーカーレベルを含む消費者の臨床検査結果を前記中央統合サイトから受け取る手段を確立するステップと、
e)前記消費者の臨床検査結果を基礎として前記消費者に個人化された栄養情報を示す状況レポートを生成するステップと、
f)ステップ(e)で得られた前記状況レポートを前記消費者に通信するステップと
を含む方法。
【請求項２０】
プログラムロジックが記憶されたコンピュータ使用可能媒体を含むコンピュータプログラム製品であって、前記プログラムロジックは、請求項20に記載のコンピュータネットワークが、消費者メンバと非消費者メンバとをリンクし、中央ネットワークサイトを介して製品、情報、およびサービスを提供することを可能にする複数の機械可読コードを含み、前記複数の機械可読コードは、前記中央ネットワークサイトが、前記提供される情報を収集し、保管することを可能にし、前記中央ネットワークサイトが、前記提供される情報の内容、編成、および提示を管理し、ネットワークインターフェースを維持し、ネットワークメンバを募集し、前記中央ネットワークサイトを介して提供される前記情報またはサービスに関する要求を満足することを可能にする、コンピュータプログラム製品。